(57)【特許請求の範囲】
【請求項１】
固定部と、この固定部に対して鉛直軸まわりに作動可能な可動部とを有するヒンジ装置を用い、前記固定部を前面が開口する筐体の側板に固定し、前記可動部の先端部を前記開口を閉塞する扉の裏面に取り付けたものにおいて、
前記固定部を、前記側板に止着具を介して緊締される基片と、この基片に対して第２の鉛直軸回りに基端を枢着される吊片とから構成し、当該吊片の先端側には前記可動部を鉛直軸回りに取り付けるとともに、
前記吊片の角度を前記基片に対して可変とする調節部を設けて、前記基片に前記吊片の基端が枢着された状態を維持しつつ相対位置を可変とし、吊片に設定した前記鉛直軸の位置を幅方向に調節可能としたことを特徴とする収納装置。
【請求項２】
調節部が、基片に回転可能かつ軸方向移動不能に設けた送りねじと、吊片に設けたねじ孔とを具備し、その送りねじによって基片に対する吊片の角度を変更可能としたものである請求項１記載の収納装置。
【請求項３】
基片又は吊片の少なくとも一部に、上下方向の重合部を設けている請求項１又は２記載の収納装置。
【請求項４】
吊片を横向きに開口するチャネル状のものにして、その内部に基片を相対回動可能に嵌め込んでいる請求項３記載の収納装置。
【請求項５】
固定部と、この固定部に対して軸まわりに作動可能な可動部とを有するヒンジ装置を用い、前記固定部を第１の部材に固定し、前記可動部を第２の部材に固定したものにおいて、
前記固定部を、前記第１の部材に止着具を介して緊締される基片と、この基片に対して第２の軸回りに基端を枢着される吊片とから構成し、当該吊片の先端側には前記可動部を軸回りに取り付けるとともに、
前記吊片の角度を前記基片に対して可変とする調節部を設けて、前記基片に前記吊片の基端が枢着された状態を維持しつつ相対位置を可変とし、吊片に設定した前記軸の位置を基片の長手方向と略直交する方向に調節可能としたことを特徴とする開閉装置。
【請求項６】
固定部と、この固定部に対して軸まわりに作動可能な可動部とを有するものであって、前記固定部を、基片と、この基片に対して第２の軸回りに基端を枢着される吊片とから構成し、当該吊片の先端側には前記可動部を軸回りに取り付けるとともに、
前記吊片の角度を前記基片に対して可変とする調節部を設けて、前記基片に前記吊片の基端が枢着された状態を維持しつつ相対位置を可変とし、吊片に設定した前記軸の位置を基片の長手方向と略直交する方向に調節可能としたことを特徴とするヒンジ装置。
【発明の詳細な説明】
【技術分野】
【０００１】
本発明は、筐体と扉の間をヒンジ装置を用いて簡単かつ適切な調節機能の下に連結した収納装置、或いはこれを広く部材同士の開閉部分に適用した開閉装置、及び、そのためのヒンジ装置に関するものである。
【背景技術】
【０００２】
ヒンジ装置を用いた扉の取付構造として、例えば特許文献１に示されるものが知られている。
このものは、固定部と、この固定部に対して鉛直軸まわりに作動可能な可動部とを有するヒンジ装置を用い、前記固定部を前面が開口する筐体の側板にねじにより固定し、前記可動部の先端部を前記開口を閉塞する扉の裏面に取り付けることにより、前記扉を開閉自在に筐体に取付けている。
【特許文献１】特開２００５−２８２２５３号公報
【発明の開示】
【発明が解決しようとする課題】
【０００３】
ところで、この種のヒンジ装置には、鉛直軸による可動部の位置を幅方向に変更可能として、吊位置を調節できるようにしたものがあり、特に両開きの扉などでは、扉間に生じる目地の不均一状態を解消できるなどの効果的がある。この場合の調節部としては、例えば固定部と側板の内面との間にストッパやスペーサなどの規制部材を介在させ、側板の外面から挿通したねじで固定部を引き寄せてその規制部材に押し付けるように固定して、その規制部材の規制位置をねじ送り等により可変とする構造が常套手段として考えられる。
【０００４】
しかしながら、単にこのような構造であると、位置調節の際に、一旦固定部を止着しているねじを緩め、その状態で規制部材の規制位置を別のねじによるねじ送り作用等によって調節して、再度固定部を止着するという作業を、扉の状態を確認しながら、場合によっては繰り返し行わなければならない。したがって、調節作業が面倒であり、また、固定部を緩めている最中に扉の荷重がヒンジ装置に不適切に作用することも好ましくない。
【０００５】
本発明は、このような課題に着目してなされたものであって、固定部を緩めずとも、ヒンジ装置の吊位置を幅方向に適切に調節できるようにした収納家具等を提供することを目的としている。
【課題を解決するための手段】
【０００６】
本発明は、かかる目的を達成するために、次のような手段を講じたものである。
【０００７】
すなわち、本発明の収納装置は、固定部と、この固定部に対して鉛直軸まわりに作動可能な可動部とを有するヒンジ装置を用い、前記固定部を前面が開口する筐体の側板に固定し、前記可動部の先端部を前記開口を閉塞する扉の裏面に取り付けたものにおいて、
【０００８】
前記固定部を、前記側板に止着具を介して緊締される基片と、この基片に対して第２の鉛直軸回りに基端を枢着される吊片とから構成し、当該吊片の先端側には前記可動部を鉛直軸回りに取り付けるとともに、前記吊片の角度を前記基片に対して可変とする調節部を設けて、前記基片に前記吊片の基端が枢着された状態を維持しつつ相対位置を可変とし、吊片に設定した前記鉛直軸の位置を幅方向に調節可能としたことを特徴とする。
【０００９】
このように構成すれば、基片を側板に固定した状態のままで、調節部を通じて基片に対する吊片の相対位置を変化させ、これにより鉛直軸の位置を幅方向に調節することができるので、調節の度に基片を締めたり緩めたりする必要がない。このため、調節作業を効率良く行うことができる。また、常に扉を適正に支持した状態で調節作業を行えるため、調節中に扉の支持状態が不適切となる事態も有効に解消することができる。
【００１０】
また、吊片は、基片に対して基端を第２の鉛直軸回りに枢着され先端側に前記可動部を鉛直軸回りに取り付けたものとしているために、調節時のスムーズな作動を得ることができる。
【００１１】
また本発明は、固定部と、この固定部に対して軸まわりに作動可能な可動部とを有するヒンジ装置を用い、前記固定部を第１の部材に固定し、前記可動部を第２の部材に固定している開閉装置に広く一般に適用できて、前記固定部を、前記第１の部材に止着具を介して緊締される基片と、この基片に対して第２の軸回りに基端を枢着される吊片とから構成し、当該吊片の先端側には前記可動部を軸回りに取り付けるとともに、前記吊片の角度を前記基片に対して可変とする調節部を設けて、前記基片に前記吊片の基端が枢着された状態を維持しつつ相対位置を可変とし、吊片に設定した前記軸の位置を基片の長手方向と略直交する方向に調節可能とすることにより、収納装置の場合と同様の作用効果を奏することができる。
【００１２】
このように、固定部を基片と吊片から構成しても、必要な耐荷重を適切に得るためには、基片又は吊片の少なくとも一部に、上下方向の重合部を設けておくことが望ましい。
【００１３】
固定部全体が嵩張ることを適切に防止するためには、吊片を横向きに開口するチャネル状のものにして、その内部に基片を相対回動可能に嵌め込んでいることが好ましい。
【００１４】
また本発明は、固定部と、この固定部に対して軸まわりに作動可能な可動部とを有するヒンジ装置を用い、前記固定部を第１の部材に固定し、前記可動部を第２の部材に固定している開閉装置に広く一般に適用できて、前記固定部を、前記第１の部材に止着具を介して緊締される基片と、この基片に基端を軸回りに枢着され先端側に前記可動部を鉛直軸回りに取り付けた吊片とから構成し、この吊片の角度を前記基片に対して可変とする調節部を設けることにより、収納装置の場合と同様の作用効果を奏することができる。
【００１５】
また本発明は、固定部と、この固定部に対して軸まわりに作動可能な可動部とを有するヒンジ装置に広く一般に適用できて、
前記固定部を、基片と、この基片に対して第２の軸回りに基端を枢着される吊片とから構成し、当該吊片の先端側には前記可動部を軸回りに取り付けるとともに、前記吊片の角度を前記基片に対して可変とする調節部を設けて、前記基片に前記吊片の基端が枢着された状態を維持しつつ相対位置を可変とし、吊片に設定した前記軸の位置を基片の長手方向と略直交する方向に調節可能とすることにより、収納装置や開閉装置に用いた場合に上記と同様の作用効果を奏することができる。
【００１６】
そして、これらの場合にも、叙述した個々の具体的な手段を同様に講じることが可能である。
【発明の効果】
【００１７】
本発明は、以上説明した構成であるから、ヒンジ装置の固定部を基片と吊片に分割し、基片を対象物に取り付けて吊片の位置を調節部において調節可能とするだけで、扉などの部材の幅方向の吊位置を簡単な作業で適切に調整できるという、簡易にして優れた効果を奏することとなる。
【発明を実施するための最良の形態】
【００１８】
以下、本発明の一実施形態を、添付図面を参照して説明する。
【００１９】
図１及び図２は、この実施形態のヒンジ装置を適用した収納装置を示す。
【００２０】
この収納装置は、前面が開口する筐体１の前面に、その両側板１１、１１、上面板１２および底板１３
の前端面全体を覆う扉１６が、上下１ 対のヒンジ装置Ａ、Ａによって支持されており、図１ に示す閉止位置から、図２に示すほぼ９０°の状態を経て、１８０° 回転した全開位置に移動可能となるように構成されている。筐体１の側板１１には、前端側に開口する空洞部Ｓｐが設けられている。
【００２１】
各ヒンジ装置Ａは、図３〜図７に示すように、前記空洞部Ｓｐに挿入されて側板１１の内面１１ａに固定される固定部２０と、この固定部２０に対して可変とされた可動部である持ち出しリンク機構Ｘとを具備し、この持ち出しリンク機構Ｘの先端側に扉１６を取り付けたものである。
【００２２】
持ち出しリンク機構Ｘは、補助リンク３１、シーソーリンク３６、主リンク４２、及び先端リンク４８を備えてなる。
【００２３】
つまり、この持ち出しリンク機構Ｘは、筐体１側に起点である軸４６を有する主リンク４２の先端側において、当該主リンク４２と扉１６側に装着されるカップホルダ５２との間を、軸４１，４４，５０，５７からなる４点リンクで接続するとともに、補助リンク３１をその４点リンクにシーソーリンク３６及び軸３８を介して係り合わせている。
【００２４】
カップホルダ５２は扉１６の内側面に固定されて扉１６と持ち出しリンク機構Ｘとを連結する役割をなす部材であり、前記各リンク３１、３６、４２、４８が折り畳まれた図１０の状態でそのほぼ全てを収納できるものであって、一端部５２ａを開口し、他端部５２ｂを閉じた所定長さの断面コ字形部材の両側部に、扉１６の内側面と平行の取付部５３が形成されている。扉１６には、吊元側縁部１６ａの端面の一部から裏面に至る部位に方形の切欠１６ｘが形成されており、カップホルダ５２の内空はこの切欠１６ｘに臨んでいる。取付部５３にはねじ挿通孔５４が穿設され、奥壁にはリブを利用して前述した軸４１，５７を所定位置で挿通する軸穴が所定の間隔で穿設されている。
【００２５】
そして、図５に示す扉閉止時には、持ち出しリンク機構Ｘを構成する各リンク３１、４２等を折り畳んで前記カップホルダ５２の内部にほぼ収納し、図６に示す略９０°開成時には少なくとも主リンク４２及び補助リンク３１は固定部２０の長手方向の延長線上にまで展開され、更に、扉１６が９０°を越えて図７に示す１８０°開成位置に近づくにつれて、主リンク４２及び補助リンク３１が長手方向の延長線よりも外方側へ折曲回動する。そして、１８０°開成位置の手前の位置あたりから、主リンク４２とカップホルダ５２とを接続する４点リンクのうちの３点４１，４４，５０がほぼ直線状となるように潰れて、持ち出しリンク機構Ｘ全体は主リンク４２或いは補助リンク３１の起点である軸４６、３３回りに回動しながら、扉１６が厚み方向に移動することとなる。
【００２６】
したがって、扉１６を最大限度で開いたときは、補助リンク３１は主リンク４２とともに固定部２０の長手方向の延長線よりも外方側へ大きく折曲回動して、先端を隣接する筐体１の前方に迫り出させ、扉１６は隣接する扉１６の前面に密接に対面させられる。扉１６の吊元側縁部１６ａの端面の一部から裏面に至る部位には前述したように切欠１６ｘが形成されているため、持ち出しリンク機構Ｘはこの切欠１６ｘを介して筐体１と扉１６との連結状態を維持している。
【００２７】
図中符号３１ａ、３６ａ等は、リンク機構Ｘの作動中に周辺の軸等との干渉を避けるためにリンク３１，３６に設けた切欠である。
【００２８】
そして、この実施形態では、かかるヒンジ装置Ａの固定部２０を、図８及び図９に示すように、取付面２１１を有し前記側板１１の内面１１ａに止着具たるねじｖ１を介して緊締される基片２０１と、この基片２０１に係った状態を維持して位置変更可能な吊片２０２とから構成し、前記基片２０１に対する前記吊片２０２の相対位置を可変とする調節部２０３を設けて、吊片２０２に設定した前記軸としての鉛直軸４６、３３の位置を図９→図１０のように幅方向に調節可能としている。
【００２９】
吊片２０２は、基端を第２の軸としての第２の鉛直軸２０２ｘ回りに枢着され先端側に前記可動部たる持ち出しリンク機構Ｘを鉛直軸４６，３３を介して取り付けたものであり、調節部２０３は、この吊片２０２の角度を前記基片２０１に対して可変とすべく、基片２０１に回転可能かつ軸方向移動不能に設けた送りねじｖ２と、吊片２０２に設けたねじ孔２２１とを具備し、その送りねじｖ２によって基片２０１に対する吊片２０２の角度を変更可能としている。
【００３０】
この吊片２０２は、立壁２２２の上下に水平壁２２３を対向させた、横向きに開口するチャネル状のもので、その内部に、取付面２１１の上下に水平面２１３を形成した横向きに開口するチャネル状の基片２０１を相対移動可能に嵌め込んでいる。取付面２１１にはねじｖ１の螺合するねじ孔２１１ａが開口している。
【００３１】
このように、鉛直軸４６、３３による可動部たる持ち出しリンク機構Ｘの吊り位置が幅方向に変更可能であると、扉１６の吊位置を調節できるため、例えば図１１（ａ）に示すように両開きの扉１６，１６間の目地が上下で不均一な場合に、上下に対をなすヒンジ装置Ａを前述した調節部２０３を通じて調節すれば、同図（ｂ）に示すように扉１６，１６間に生じる目地の不均一状態を解消できることができる。
【００３２】
また、この実施形態において前述した切欠１６ｘは、扉１６の裏面から側端面に亘る部位に設けてあるため、そのままだと閉扉時に図５に示すように扉１６の側端面に切欠１６ｘが内部のリンク機構Ｘの機構部品とともに露出して、収納装置の外観が損なわれる。
【００３３】
そこで、この実施形態は、前記固定部２０の吊片２０２と可動部たる持ち出しリンク機構Ｘとを連結する鉛直軸４６、３３のうちの鉛直軸４６に、図１に示すように閉扉時に扉１６の側端面の切欠１６ｘを閉塞するカバー体Ｃを取り付けている。
【００３４】
このカバー体Ｃは、図１２に示すように、前記切欠１６ｘの矩形形状よりも僅かに小さめの矩形状をなす面材ｃ１と、この面材ｃ１の一側面における一方の縁部よりに設けた弾性係合部ｃ２〜ｃ４とを具備している。図９等に示すように、固定部２０の吊片２０２は筐体１の側板１１から前方に鉛直軸４６を持ち出すべく立壁２２２を含む先端部が側板１１の空洞Ｓｐから前方に突出した状態にあるため、弾性係合部ｃ２〜ｃ４を図１３に示すように固定部２０の長手方向から前記鉛直軸４６に押し付けることによって、弾性係合部ｃ２とｃ３、ｃ４との間が鉛直軸４６により押し開かれて弾性変形しつつ当該鉛直軸４６に嵌合するようになっている。そして、その位置で図１４（ａ）に矢印で示すように平面視略９０°回転させることによって、同図（ｂ）に示すように面材ｃ１の内面を固定部２０の吊片２０２の立壁２２２に添設させて所定姿勢で取り付けることができるようにしている。
【００３５】
なお、このカバー体Ｃには、鉛直軸４６に臨む位置に弾性規制片ｃ５が設けてある。この規制片ｃ５は、カバー体Ｃの前記所定姿勢において、その一部ｃｃが図１４（ｂ）に示すように立壁２２２の内面に弾性により係合するようにしてあり、この弾性規制片ｃ５により、面材ｃ１が同図中矢印で示すように厚み方向に沿って鉛直軸４６から抜脱することを規制し、前記とは逆方向に一旦回転させない限り、取り外すことが難しいものとなっている。
【００３６】
このようなカバー体Ｃを取り付けると、図１４に示す開扉時にカバー体Ｃは筐体１の側板１１の前面に、側方に対して当該側板１１の空洞Ｓｐを隠蔽した状態で付帯することとなり、この状態から扉１６を図１５→図１６→図１７のように閉扉位置まで回動させると、扉１６の側端面に設けた切欠１６ｘに対して相対的にカバー体Ｃが、その面材ｃ１を当該側端面と略面一とするまで切欠１６ｃ内に嵌り込んで、当該切欠１６ｃとともに内部の持ち出しリンク機構Ｘの機構部品を閉塞するものとなっている。
【００３７】
以上のように、本実施形態の収納装置は、固定部２０と、この固定部２０に対して鉛直軸４６，３３まわりに作動可能な可動部たる持ち出しリンク機構Ｘとを有するヒンジ装置Ａを用い、前記固定部２０を前面が開口する筐体１の側板１１に固定し、前記持ち出しリンク機構Ｘの先端部を前記開口を閉塞する扉１６の裏面に取り付けたものである。そして、前記固定部２０を、側板１１にねじｖ１を介して緊締される基片２０１と、この基片２０１に対して第２の鉛直軸２０２ｘ回りに基端を枢着される吊片２０２とから構成し、当該吊片２０２の先端側には持ち出しリンク機構Ｘを鉛直軸４６，３３回りに取り付けるとともに、前記吊片２０２の角度を前記基片２０１に対して可変とする調節部２０３を設けて、前記基片２０１に前記吊片２０２の基端が枢着された状態を維持しつつ相対位置を可変とし、吊片２０２に設定した前記鉛直軸４６、３３の位置を幅方向に調節可能としたものである。
【００３８】
このように構成すれば、基片２０１を側板１１に固定した状態のままで、調節部２０３を通じて基片２０１に対する吊片２０２の相対位置を変化させ、これにより鉛直軸４６，３３の位置を幅方向に調節することができるので、調節の度に基片２０１を締めたり緩めたりする必要がない。このため、調節作業を効率良く行うことができる。また、常に扉１６を適正に支持した状態で調節作業を行えるため、調節中に扉１６の支持状態が不適切となる事態も有効に解消して、平易かつ確実に作業を行うことが可能となる。
【００３９】
そして、吊片２０２は、基片２０１に対して基端を第２の鉛直軸２０２ｘ回りに枢着され先端側に前記可動部たる持ち出しリンク機構Ｘを鉛直軸４６，３３回りに取り付けたものであり、調節部２０３は、この吊片２０２の角度を前記基片２０１に対して可変とするものであるので、かかる回転動作を利用して調節時のスムーズな作動を得ることができる。
【００４０】
その調節部２０３は、基片２０１に回転可能かつ軸方向移動不能に設けた送りねじｖ２と、吊片２０２に設けたねじ孔２２１とを具備し、特にこの実施形態では１本の送りねじｖ２に対する操作のみによって基片２０１に対する吊片２０２の角度を変更可能としているので、工具を用いて極めて簡単に調節作業を行うことができる。
【００４１】
また、基片２０１や吊片２０２に水平面２１３や水平壁２２３を設けて上下方向の重合部を形成するようにしており、吊片２０２に掛かる荷重をその重合部を介して側板１１に確実に支持させることができるので、所要の強度を有効に確保することができる。
【００４２】
特に、吊片２０２を横向きに開口するチャネル状のものにして、その内部に基片２０１を相対回動可能に嵌め込んでおり、吊片２０２の内部に基片２０１が収容されるので、固定部２０全体を極力コンパクトに構成して、側板１１の空洞Ｓｐのように取付スペースが小さい場合にも有効に適用して作動させることができる。
【００４３】
なお、各部の具体的な構成は、上述した実施形態のみに限定されるものではない。
例えば、ヒンジ装置の可動部、或いはその全体の構成自体は、本発明には直接関係するものではなく、固定部と、この固定部に対して鉛直軸まわりに作動可能な可動部とを有するものであれば、種々のヒンジ装置を対象とすることができる。
【００４４】
また、本発明は上記のような収納装置以外にも、固定部と可動部をヒンジ装置で連結している種々の開閉装置に適用することができる。
【００４５】
すなわち、開閉装置が、固定部と、この固定部に対して軸まわりに作動可能な可動部とを有するヒンジ装置を用い、前記固定部を第１の部材に固定し、前記可動部を第２の部材に固定したものであるならば、前記固定部を、前記第１の部材に止着具を介して緊締される基片と、この基片に対して第２の軸回りに基端を枢着される吊片とから構成し、当該吊片の先端側には前記可動部を軸回りに取り付けるとともに、前記吊片の角度を前記基片に対して可変とする調節部を設けて、前記基片に前記吊片の基端が枢着された状態を維持しつつ相対位置を可変とし、吊片に設定した前記軸の位置を基片の長手方向と略直交する方向に調節可能としておけばよい。
【００４６】
また、開閉装置への適用以前の状態において、固定部と、この固定部に対して軸まわりに作動可能な可動部とを有するヒンジ装置を構成するにあたり、前記固定部を、基片と、この基片に対して第２の軸回りに基端を枢着される吊片とから構成し、当該吊片の先端側には前記可動部を軸回りに取り付けるとともに、前記吊片の角度を前記基片に対して可変とする調節部を設けて、前記基片に前記吊片の基端が枢着された状態を維持しつつ相対位置を可変とし、吊片に設定した前記軸の位置を基片の長手方向と略直交する方向に調節可能としておけばよい。
【００４７】
その他の構成も、本発明の趣旨を逸脱しない範囲で種々変形が可能である。
【図面の簡単な説明】
【００４８】
【図１】本発明の一実施形態に係る収納装置の斜視図。
【図２】同収納装置を開扉状態において示す斜視図。
【図３】同収納装置に適用されたヒンジ装置の斜視図。
【図４】同ヒンジ装置で筐体の側板と扉との間を接続した状態を示す斜視図。
【図５】同ヒンジ装置の作動を説明するための説明図。
【図６】同ヒンジ装置の作動を説明するための説明図。
【図７】同ヒンジ装置の作動を説明するための説明図。
【図８】同ヒンジ装置の吊位置を調節する調節部の構成を示す斜視図。
【図９】同調節部の調節機能を説明する図。
【図１０】同調節部の調節機能を説明する図。
【図１１】同調節部の調節機能を説明する図。
【図１２】同実施形態において扉の切欠を閉塞するカバー体の斜視図。
【図１３】同カバー体の取付手順を示す図。
【図１４】同カバー体の取付手順を示す図。
【図１５】同カバー体の作用説明図。
【図１６】同カバー体の作用説明図。
【図１７】同カバー体の作用説明図。
【符号の説明】
【００４９】
１…筐体
１１…側板
２０…固定部
３３，４６…鉛直軸
２０１…基片
２０２…吊片
２０２ｘ…第２の鉛直軸
２０３…調節部
２２１…ねじ孔
ｖ２…送りねじ
Ｘ…可動部（持ち出しリンク機構）
【図１】
0005348644.tif 000002
【図２】
0005348644.tif 000003
【図３】
0005348644.tif 000004
【図４】
0005348644.tif 000005
【図５】
0005348644.tif 000006
【図６】
0005348644.tif 000007
【図７】
0005348644.tif 000008
【図８】
0005348644.tif 000009
【図９】
0005348644.tif 000010
【図１０】
0005348644.tif 000011
【図１１】
0005348644.tif 000012
【図１２】
0005348644.tif 000013
【図１３】
0005348644.tif 000014
【図１４】
0005348644.tif 000015
【図１５】
0005348644.tif 000016
【図１６】
0005348644.tif 000017
【図１７】
0005348644.tif 000018